(57)【要約】【課題】放電生成物発生装置において、放電電極部から発生させる放電生成物を安定的に発生させる放電生成物発生装置を提供することを目的とする。【解決手段】送風手段と、放電生成物発生手段とから構成し、この放電生成物発生手段は、第１の開口部１２を有する略箱形状のケース部１１と、このケース部１１内に設けた放電生成物発生部１０と、この放電生成物発生部１０と第１の開口部１２とを連通する連通路２７と、放電生成物発生部１０の下面とケース部１１との間に備えた空間部１４とから構成し、第１の開口部１２は、ケース部１１の上面に位置し、連通路２７は、少なくとも水平方向に伸びた水平連通路部分１３を有し、放電生成物発生部１０は、放電生成物発生部１０の下面から放電生成物を発生することを特徴としたことにより、放電生成物発生部１０への埃の付着を抑制し、放電生成物の安定的な発生という効果を得られる。【選択図】図３
2013206545.tif 000002
【特許請求の範囲】
【請求項１】
送風手段と、この送風手段に設けた放電生成物発生手段とから構成し、この放電生成物発生手段は、第１の開口部を有する略箱形状のケース部と、このケース部内に設けた放電生成物発生部と、この放電生成物発生部と前記第１の開口部とを連通する連通路と、前記放電生成物発生部の下面と前記ケース部との間に備えた空間部とから構成し、前記第１の開口部は、前記ケース部の上面に位置し、前記連通路は、少なくとも水平方向に伸びた水平連通路部分を有し、前記放電生成物発生部は、前記放電生成物発生部の下面から放電生成物を発生することを特徴とする放電生成物発生装置。
【請求項２】
前記放電生成物発生部は、棒形状の放電電極と、この放電電極に対向して配置された対向電極と、前記放電電極と前記対向電極間に高電圧を印加する高電圧印加部とから形成し、前記放電電極の先端は下方に向いていることを特徴とする請求項１に記載の放電生成物発生装置。
【請求項３】
前記ケース部は、前記第１の開口部を有する第１の空間部と、前記放電生成物発生部および前記水平連通路部分を有する第２の空間部とから構成し、前記第１の空間部と前記第２の空間部との間に埃侵入抑制手段を設けたことを特徴とする請求項１または２に記載の放電生成物発生装置。
【請求項４】
前記水平連通路部分は、第１の水平連通路部分と、第２の水平連通路部分とから構成し、前記第１の水平連通路部分には、脱臭手段を備えたことを特徴とする請求項１から３のいずれかに記載の放電生成物発生装置。
【請求項５】
前記第２の水平連通路部分は、少なくとも前記放電生成物発生部の放電電極と前記第１の開口部との間に設けたことを特徴とする請求項４に記載の放電生成物発生装置。
【請求項６】
送風手段は、送風部と、この送風部を支持する支柱と、この支柱の下端に一体的に設けられる基台とから構成し、前記基台は、略箱形状で、上面に連通孔を備えると共に、内部に前記放電生成物発生部を備えた構成とした請求項１から５のいずれかに記載の放電生成物発生装置。
【発明の詳細な説明】
【技術分野】
【０００１】
本発明は、放電生成物を発生させる放電生成物発生装置に関するものである。
【背景技術】
【０００２】
従来、この種の放電生成物発生装置は、送風手段と、この送風手段に設けた放電生成物発生手段とから構成し、この放電生成物発生手段は、第１の開口部を有する略箱形状のケース部と、このケース部内に設けた放電生成物発生部と、この放電生成物発生部と第１の開口部とを連通する連通路とから構成し、第１の開口部は、ケース部の上面に位置し、連通路は、少なくとも水平方向に伸びた水平連通路部分を有し、放電生成物発生部は、水平方向に配置され針形状の放電電極部から放電生成物を発生するものが知られている（例えば、特許文献１参照）。
【先行技術文献】
【特許文献】
【０００３】
【特許文献１】特開２００５−２０１１９１号公報
【発明の概要】
【発明が解決しようとする課題】
【０００４】
このような従来の放電生成物発生装置においては、針形状の放電電極部が水平方向に配置される構成となっていたので、放電電極部に埃が付着することにより、放電生成物の発生が不安定になるという課題を有していた。
【０００５】
そこで本発明は、上記従来の課題を解決するものであり、放電生成物を安定的に発生させる放電生成物発生装置を提供することを目的とする。
【課題を解決するための手段】
【０００６】
そして、この目的を達成するために、本発明は、送風手段と、この送風手段に設けた放電生成物発生手段とから構成し、この放電生成物発生手段は、第１の開口部を有する略箱形状のケース部と、このケース部内に設けた放電生成物発生部と、この放電生成物発生部と前記第１の開口部とを連通する連通路と、前記放電生成物発生部の下面と前記ケース部との間に備えた空間部とから構成し、前記第１の開口部は、前記ケース部の上面に位置し、前記連通路は、少なくとも水平方向に伸びた水平連通路部分を有し、前記放電生成物発生部は、前記放電生成物発生部の下面から放電生成物を発生することを特徴とする放電生成物発生装置であり、これにより所期の目的を達成するものである。
【発明の効果】
【０００７】
本発明によれば、送風手段と、この送風手段に設けた放電生成物発生手段とから構成し、この放電生成物発生手段は、第１の開口部を有する略箱形状のケース部と、このケース部内に設けた放電生成物発生部と、この放電生成物発生部と前記第１の開口部とを連通する連通路と、前記放電生成物発生部の下面と前記ケース部との間に備えた空間部とから構成し、前記第１の開口部は、前記ケース部の上面に位置し、前記連通路は、少なくとも水平方向に伸びた水平連通路部分を有し、前記放電生成物発生部は、前記放電生成物発生部の下面から放電生成物を発生する構成にしたことにより、ケース部上部空間からの放電生成物発生部への埃の付着を抑制することができるので、放電生成物の安定的な発生という効果を得ることができる。
【図面の簡単な説明】
【０００８】
【図１】本発明の実施の形態１の放電生成物発生装置の側面図
【図２】同放電生成物発生装置の基台内部を示す図
【図３】同放電生成物発生装置のケース部内部を示す図
【図４】同放電生成物発生装置の第１の開口部までの放電生成物流路を示すケース内部断面図
【図５】同放電生成物発生装置の放電生成物発生部拡大図
【発明を実施するための形態】
【０００９】
本発明の請求項１記載の放電生成物発生装置は、送風手段と、この送風手段に設けた放電生成物発生手段とから構成し、この放電生成物発生手段は、第１の開口部を有する略箱形状のケース部と、このケース部内に設けた放電生成物発生部と、この放電生成物発生部と前記第１の開口部とを連通する連通路と、前記放電生成物発生部の下面と前記ケース部との間に備えた空間部とから構成し、前記第１の開口部は、前記ケース部の上面に位置し、前記連通路は、少なくとも水平方向に伸びた水平連通路部分を有し、前記放電生成物発生部は、前記放電生成物発生部の下面から放電生成物を発生するという構成を有する。これにより、前記ケース部上部空間からの放電電極への埃の付着の抑制することができるので、放電生成物を安定的に発生させることができるという効果を奏する。
【００１０】
また、前記放電生成物発生部は、棒形状の放電電極と、この放電電極に対向して配置された対向電極と、前記放電電極と前記対向電極間に高電圧を印加する高電圧印加部とから形成し、前記放電電極の先端は下方に向く構成を有する。これにより、前記放電電極上部空間からの埃の付着を抑制することができるので、放電生成物を安定的に発生させることができるという効果を奏する。
【００１１】
また、前記ケース部は、前記第１の開口部を有する第１の空間部と、前記放電生成物発生部および前記水平通路部分を有する第２の空間部から構成し、前記第１の空間部と前記第２の空間部と前記第２の空間部との間に埃侵入抑制手段を設けたこと構成を有する。これにより、前記第１の開口部外からの埃の侵入を抑制し、前記放電電極および前記対向電極への埃の付着を抑制することができるので、放電生成物を安定的に発生させることができる。
【００１２】
また、前記水平連通路部分は、第１の連通路部分と、第２の水平連通路部分とから構成し、前記第１の水平連通路部分には、脱臭手段を備えた構成を有する。これにより、前記放電電極から発生し、前記連通路を通過する放電生成物の一部を前記第１の水平連通路を経由させることにより、前記第１の開口部からの放電生成物の臭気の放出を抑制することができるので、前記第１の開口部から放出される放電生成物の臭気を抑制することができるという効果を奏する。
【００１３】
また、前記第２の水平連通路部分は、少なくとも前記放電生成物発生部の放電電極と前記第１の開口部との間に設けたこと構成を有する。これにより、前記放電生成物発生部から発生した放電生成物の一部は前記第１の水平連通路を通過することなく、前記第２の水平連通路を通過し、前記第１の開口部へとすることができるので、放電生成物を安定的に放出することができるという効果を奏する。
【００１４】
また、送風手段は、送風部と、この送風部を支持する支柱と、この支柱の下端に設けられる基台とから構成し、前記基台は、略箱形状で、上面に連通孔を備えると共に、内部に前記放電生成物発生部を備えた構成を有する。これにより、前記基台連通孔から放出された放電生成物を前記送風手段の吸込流により誘引することができるので、前記送風部前方空間へ放電生成物を放散させることができるという効果を奏する。
【００１５】
以下、本発明の実施の形態について図面を参照しながら説明する。
【００１６】
（実施の形態１）
図１から図３に示すように、放電生成物発生装置は、送風手段と、この送風手段に設けた放電生成物発生手段とから構成している。
【００１７】
送風手段は、送風部と、この送風部を支持する支柱４と、この支柱４の下端に設けられる基台７とから構成している。
【００１８】
送風部は、ファン１が取り付けられたファンモーター２とファン１を囲う着脱可能なガード３から構成される。
【００１９】
支柱４は、上部に送風部の風向きを変える首振り機構５と、支柱中段に高さを調節できる支柱高さ調節ねじ６が設けられている。また、下端部に筒状の挿入部を有しており、基台挿入部に一体的に取り付ける構成である。
【００２０】
基台７は、略箱形状で、前面側には、送風部の運転を制御する操作部８を備え、背面側には、上面に連通孔９を備えると共に、内部に放電生成物発生部１０を備えている。
【００２１】
これにより、基台７の連通孔９から放出された放電生成物を送風手段の吸込流により誘引することができるので、送風部前方空間へ放電生成物を放散させることができるという効果を奏する。
【００２２】
本実施形態における特徴は、図３から図５に示すように、放電生成物発生手段の構造にある。放電生成物発生手段は、ケース部１１と、このケース部内に設けた放電生成物発生部１０と、この放電生成物発生部と第１の開口部１２とを連通する連通路２７と、放電生成物発生部の下面とケース部との間に備えた空間部１４とから構成している。
【００２３】
ケース部１１は、略箱形状で、一方側には、放電生成物発生部１０を備え、他方側には、第１の開口部１２を備えている。この第１の開口部１２と放電生成物発生部１０との間には、連通路２７を備えている。空間部１４は、放電生成物発生部の下面とケース部１１との間に位置すると共に、放電生成物発生部１０と連通路２７との間に位置するものである。
【００２４】
空間部１４は、連通路２７とつながった構成となっており、放電生成物発生部１０から発生した放電生成物は放電生成物発生下面から空間部１４を介して連通路２７へと流入する。
【００２５】
第１の開口部１２は、ケース部１１の上面に位置し、連通路２７は、少なくとも水平方向に伸びた水平連通路部分１３を有し、放電生成物発生部１０は、放電生成物発生部１０の下面から放電生成物を発生することを特徴とするものである。
【００２６】
これにより、ケース部１１上部空間からの放電生成物発生部１０への埃の付着を抑制することができるので、放電生成物の安定的な発生という効果を得ることができる。
【００２７】
また、放電生成物発生部１０の１例は、静電霧化発生部である。具体的には、棒形状の放電電極１５と、この放電電極１５に対向して配置された対向電極１６と、放電電極１５を冷却する冷却部２８と、放電電極１５と対向電極１６間に高電圧を印加する高電圧印加部１７とから形成している。冷却部２８は、この実施形態では、ペルチェ素子で、０．７５Ｖ〜２．８Ｖ程度の電圧を印加すると、放電電極１５側を低温にする。すなわち、この放電電極１５部分が冷却されることで、結露すると、マイナスに帯電した帯電微粒子水が発生することになる。この帯電微粒子水が、放電生成物の１例である。ここで、放電電極１５の先端は下方に向く構成を有する。
【００２８】
これにより、放電電極１５上部空間からの埃の付着を抑制することができるので、放電生成物を安定的に発生させることができるという効果を奏する。
【００２９】
ケース部１１は、略箱形状で、他方側には、第１の開口部１２を備え、一方側には、高電圧印加部１７を備えている。この高電圧印加部１７と第１の開口部１２との間には、放電電極１５、および対向電極１６とを備えている。これら放電電極１５、および対向電極１６と、高電圧印加部１７との間には、壁部１８を設けている。
【００３０】
すなわち、壁部１８によって、高電圧印加部１７へ放電生成物が流入することを抑制することができるため、放電生成物による高電圧印加部１７への劣化影響を抑制する効果を奏する。放電電極１５、および対向電極１６から発生された放電生成物は第１の開口部１２方向へ放散され易くなる。
【００３１】
また、ケース部１１は、第１の開口部１２を有する第１の空間部１９と、放電生成物発生部１０および水平連通路部分１３を有する第２の空間部２０から構成している。第１の空間部１９と第２の空間部２０との間に埃侵入抑制手段を設けたものである。
【００３２】
埃侵入抑制手段は、第２の開口部２５を第１の開口部１２直下からはずれた位置に設け、さらに第２の開口部下側に壁２１を有している。
【００３３】
これにより、第２の開口部２５外からの埃の侵入を抑制し、放電電極１５および対向電極１６への埃の付着を抑制することができるので、放電生成物を安定的に発生させることができる。
【００３４】
また、水平連通路部分１３は、第１の水平連通路部分２２と、第２の水平連通路部分２３とから構成している。水平連通路部分１３の途中に第１の水平連通路部分２２と第２の水平連通路部分２３を隔てる壁２４が設けられている。
【００３５】
これにより、放電生成物発生部１０から発生された放電生成物は水平連通路部分１３で第１の水平連通路部分２２へ流入する放電生成物と、第２の水平連通路部分２３へ流入する放電生成物とに分離される。
【００３６】
第１の水平連通路部分２２は、放電生成物発生部１０から発生した放電生成物が第２の開口部２５へと連通できるよう、放電生成物発生部１０側と第２の開口部２５側は開けている。さらに、放電生成物発生部１０から第１の開口部１２への第２の水平連通路部分２３に沿うように設けられ、そこに脱臭手段２６を設ける。
【００３７】
これにより、放電電極１５から発生し、連通路２７を通過する放電生成物の一部を第１の水平連通路部分２２を経由させることにより、第１の開口部１２からの放電生成物の臭気の放出を抑制することができるので、第１の開口部１２から放出される放電生成物の臭気を抑制することができるという効果を奏する。
【００３８】
第２の水平連通路部分２３は、少なくとも放電生成物発生部１０の放電電極１５と第１の開口部１２との間に設けたこと構成を有する。
【００３９】
これにより、放電生成物発生部１０から発生した放電生成物の一部は第１の水平連通路部分２２を通過することなく、第２の水平連通路部分２３を通過し、第１の開口部１２へとすることができるので、放電生成物を安定的に放出することができるという効果を奏する。
【産業上の利用可能性】
【００４０】
本発明によれば、送風手段と、この送風手段に設けた放電生成物発生手段とから構成し、この放電生成物発生手段は、第１の開口部を有する略箱形状のケース部と、このケース部内に設けた放電生成物発生部と、この放電生成物発生部と前記第１の開口部とを連通する連通路と、前記放電生成物発生部の下面と前記ケース部との間に備えた空間部とから構成し、前記第１の開口部は、前記ケース部の上面に位置し、前記連通路は、少なくとも水平方向に伸びた水平連通路部分を有し、前記放電生成物発生部は、前記放電生成物発生部の下面から放電生成物を発生する構成にしたことにより、ケース部上部空間からの放電生成物発生部への埃の付着を抑制することができるので、放電生成物の安定的な発生という効果を得ることができる。
【００４１】
従って、家庭用や事務所用などの放電生成物発生装置としての活用が期待されるものである。
【符号の説明】
【００４２】
１  ファン
２  ファンモーター
３  ガード
４  支柱
５  首振り機構
６  高さ調節ねじ
７  基台
８  操作部
９  連通孔
１０  放電生成物発生部
１１  ケース部
１２  第１の開口部
１３  水平連通路部分
１４  空間部
１５  放電電極
１６  対向電極
１７  高電圧印加部
１８  壁部
１９  第１の空間部
２０  第２の空間部
２１  壁
２２  第１の水平連通路部分
２３  第２の水平連通路部分
２４  壁
２５  第２の開口部
２６  脱臭手段
２７  連通路
２８  冷却部
【図１】
2013206545.tif 000003
【図２】
2013206545.tif 000004
【図３】
2013206545.tif 000005
【図４】
2013206545.tif 000006
【図５】
2013206545.tif 000007